(57)【特許請求の範囲】
【請求項１】
台船位置に垂立状態で配置した中空箱状の散布物充填容器内に散布物を充填する工程と、上記散布物充填容器を海底近く迄降下せしめる工程と、降下された上記散布物充填容器を略水平とする工程と、略水平にされた散布物充填容器の底面を開いて散布物を海底上に散布せしめる工程とより成ることを特徴とする海底に対する散布物散布方法。
【請求項２】
台船位置に垂立状態で配置した中空箱状の散布物充填容器と、この容器内に散布物を充填する手段と、上記散布物充填容器を海底近く迄降下せしめる降下手段と、上記散布物充填容器を降下地点で略水平に維持する手段と、略水平にされた散布物充填容器の底面を開いて散布物を海底上に散布せしめる開閉手段とより成ることを特徴とする海底に対する散布物散布装置。
【請求項３】
上記散布物充填容器が、互いに並設された、２個の垂立容器素子より成り、この垂立容器素子が略水平に拡開されるよう互いに傾動自在に枢支されていることを特徴とする請求項２記載の海底に対する散布物散布装置。
【請求項４】
上記散布物充填容器が、この容器内へ水を流入せしめるための水流入用ゲートを有することを特徴とする請求項２または３記載の海底に対する散布物散布装置。
【発明の詳細な説明】
【技術分野】
【０００１】
本発明は海底に対する散布物散布方法及び装置に関するものである。
【背景技術】
【０００２】
図１４に示すように台船１上に載置した、底面にブラインド状の開閉機構２を備えた充填容器３に散布物４を入れた後、底面を開き、散布物４を一定の厚さで面状海底５へ落下させる方法は例えば特許文献１に示されている。
【０００３】
また、図１５に示すように海底５の近くに配置した充填容器６へ散布物４を台船１上からスラリー輸送し、充填した後底面７を開き、散布物４を一定の厚さで面状に海底５へ落下させる方法は例えば特許文献２に示されている。
【特許文献１】実公昭６１−２９８０９号
【特許文献２】特許第３４７９６９３号
【発明の開示】
【発明が解決しようとする課題】
【０００４】
然しながら上記特許文献１に示すものの場合、水上より散布するため、水深の大きい場所や水流の速い場所では、散布物が拡散し、汚濁を生じ、また、精度のよい施工ができない。
【０００５】
また、上記特許文献２に示すものの場合、充填容器６が水中に位置するため精度のよい施工は可能であるが、散布物の充填をスラリー輸送で行うため、スラリー輸送・充填が困難なもの、例えば粒径の大きいもの、沈降速度が遅いもの、沈降速度が大きく異なる物質を混合したもの等は施工できない。
【０００６】
本発明は上記の欠点を除くようにしたものである。
【課題を解決するための手段】
【０００７】
本発明の海底に対する散布物散布方法は、台船位置に垂立状態で配置した中空箱状の散布物充填容器内に散布物を充填する工程と、上記散布物充填容器を海底近く迄降下せしめる工程と、降下された上記散布物充填容器を略水平とする工程と、略水平にされた散布物充填容器の底面を開いて散布物を海底上に散布せしめる工程とより成ることを特徴とする。
【０００８】
本発明の海底に対する散布物散布装置は、台船位置に垂立状態で配置した中空箱状の散布物充填容器と、この容器内に散布物を充填する手段と、上記散布物充填容器を海底近く迄降下せしめる降下手段と、上記散布物充填容器を降下地点で略水平に維持する手段と、略水平にされた散布物充填容器の底面を開いて散布物を海底上に散布せしめる開閉手段とより成ることを特徴とする。
【０００９】
上記散布物充填容器は、互いに並設された、２個の垂立容器素子より成り、この垂立容器素子が略水平に拡開されるよう互いに傾動自在に枢支されていることを特徴とする。また、容器内へ水を流入せしめるための水流入用ゲートを有することを特徴とする。
【発明の効果】
【００１０】
本発明によれば水深の深い場所や水流の速い場所においても、砂、粘土、砂利、混合土、改良材、土砂に種子等や貝を混ぜ込んだ散布物等を流失されることなく所定の層厚で精度よく散布することが可能となる。
【発明を実施するための最良の形態】
【００１１】
以下図面によって本発明の実施例を説明する。
【実施例１】
【００１２】
本発明においては図１に示すように上部開口８より砂等の散布物４を充填できるようにした中空箱状の散布物充填容器９を用い、台船１上に設けたウインチ１０にワイヤを介して上記散布物充填容器９の上端を接続し、これによって台船１の側面に垂立状態で吊下せしめる。
【００１３】
また図２に示すように上記散布物充填容器９内に例えばバックホウやベルトコンベア１１によって上記上部開口８を介して散布物４を充填せしめ、充填完了後図３に示すように上記ウインチ１０によってワイヤを介して上記散布物充填容器９を垂立状態で海底５近く迄降下せしめ、図４に示すように台船１上に設けた、上記散布物充填容器９の下端に接続した他のウインチ１２によってワイヤを介して上記散布物充填容器９をその上端に対して引き上げ略水平状態ならしめる。
【００１４】
このように水平にされた上記散布物充填容器９の下面には図５に示すように開閉自在なゲート１３と、油圧シリンダ等を用いたその開閉手段１４とを設けておき、上記散布物充填容器９が水平にされた後上記開閉手段１４を操作して図６に示すように上記ゲート１３を開き、図４に示すように散布物充填容器９内に充填されていた散布物４を海底５上に散布せしめる。
【実施例２】
【００１５】
本発明の他の実施例においては図７に示すように、図１に示す散布物充填容器９を２個、互いに垂立した状態で横方向に重ね合わせ、その上面を枢支手段１５によって互いに枢支自在に連結して形成した散布物充填容器１６を用い、台船１上に設けたウインチ１０にワイヤを介して上記散布物充填容器１６の上端を接続し、これによって台船１の側面に垂立状態で吊下位置せしめ、図８に示すように上記散布物充填容器１６内に例えばバックホウやベルトコンベア１１によって上部開口８を介して散布物４を充填せしめ、充填完了後図９に示すように上記ウインチ１０によってワイヤを介して上記散布物充填容器１６を垂立状態で海底５近く迄降下せしめ、図１０に示すように上記散布物充填容器１６の両側において上記台船１上に設けた、上記両側の散布物充填容器１６の下端に接続した他のウインチ１２によってワイヤを介して上記散布物充填容器１６を上記枢支手段１５を枢支点として左右に開いて略水平状態ならしめる。
【００１６】
次に、このように水平にされた上記散布物充填容器１６の下面のゲート１３を開閉手段１４を操作して開き、図１１に示すように散布物充填容器１６内に充填されていた散布物４を海底５上に散布せしめる。
【実施例３】
【００１７】
本発明の更に他の実施例においては図１２及び図１３に示すように散布物４の散布を容易ならしめるため容器の例えば上面に水流入用ゲート１７を設け、散布物４を散布する際このゲート１７を任意の手段で開くようにする。
【００１８】
本発明の海底に対する散布物散布方法及び装置は上記のとおりであるから粒径及び比重に差のある物質の混合物でも分離することなく、従って汚濁を生ぜず、所定の層厚で面状に精度よく散布することができ、その均し時間を短縮でき、施工能力を向上することができる。また、散布物充填容器を垂立状態で降下せしめるため水の抵抗を減らすことができ精度のよい位置決めが可能となる。
【図面の簡単な説明】
【００１９】
【図１】本発明の海底に対する散布物散布装置の斜視図である。
【図２】本発明の海底に対する散布物散布装置に用いる散布物充填容器の説明図である。
【図３】図２に示す散布物充填容器の動作位置説明図である。
【図４】図１に示す装置の使用状態説明図である。
【図５】図２に示す散布物充填容器の底面に設けた開閉ゲートの説明図である。
【図６】図５に示す開閉ゲートの動作説明図である。
【図７】本発明の海底に対する散布物散布装置の他の実施例説明図用斜視図である。
【図８】図７に示す散布物散布装置に用いる散布物充填容器の説明図である。
【図９】図８に示す散布物充填容器の動作位置説明図である。
【図１０】図８に示す装置の使用状態説明図である。
【図１１】図１０に示す散布物充填容器の底面に設けた開閉ゲートを開いた状態の説明図である。
【図１２】図４に対応する本発明の他の実施例説明図である。
【図１３】図１０に対応する本発明の他の実施例説明図である。
【図１４】従来の海底に対する散布物散布装置の説明図である。
【図１５】従来の他の散布物散布装置の説明図である。
【符号の説明】
【００２０】
１  台船
２  開閉機構
３  充填容器
４  散布物
５  海底
６  充填容器
７  底面
８  上部開口
９  充填容器
１０  ウインチ
１１  ベルトコンベア
１２  他のウインチ
１３  ゲート
１４  開閉手段
１５  枢支手段
１６  充填容器
１７  水流入用ゲート
【図１】
0004753733.tif 000002
【図２】
0004753733.tif 000003
【図３】
0004753733.tif 000004
【図４】
0004753733.tif 000005
【図５】
0004753733.tif 000006
【図６】
0004753733.tif 000007
【図７】
0004753733.tif 000008
【図８】
0004753733.tif 000009
【図９】
0004753733.tif 000010
【図１０】
0004753733.tif 000011
【図１１】
0004753733.tif 000012
【図１２】
0004753733.tif 000013
【図１３】
0004753733.tif 000014
【図１４】
0004753733.tif 000015
【図１５】
0004753733.tif 000016